【事件の表示】
　特願２００５−１０３８２７「圧力制御弁及び複数の出力口を備えた圧力制御弁ユニット」拒絶査定不服審判事件〔平成１７年１１月１０日出願公開、特開２００５−３１６９８８〕について、次のとおり審決する。
【結　論】
　本件審判の請求は、成り立たない。
【理　由】
１．手続の経緯及び審理再開申し立てについての判断
（１）手続の経緯
　本願は、平成１７年３月３１日（優先権主張平成１６年３月３１日）の出願であって、その主な手続の経緯は、以下のとおりである。
　平成１７年　４月　４日　第１回手続補正
　平成２０年　３月２８日　第２回手続補正
　平成２０年１１月　４日　第１回刊行物提出
　平成２１年１２月１８日　拒絶理由通知
　平成２２年　２月２２日　意見書及び第３回手続補正
　平成２２年　３月１７日　第２回刊行物提出
　平成２２年　５月２５日　拒絶理由通知（最後）
　平成２２年　７月２６日　意見書及び第４回手続補正
　平成２２年　９月２７日　補正却下の決定及び拒絶査定
　平成２２年　９月３０日　第３回刊行物提出
　平成２３年　１月　６日　審判請求及び第５回手続補正
　平成２３年　３月１０日　請求の理由の補正
　平成２３年　５月３０日　審尋
　平成２３年　８月２２日　回答書
　平成２３年　８月２３日　上申書
　平成２３年　９月２７日　拒絶理由通知
　平成２３年１２月１９日　意見書及び第６回手続補正
　平成２４年　１月２７日　拒絶理由通知
　平成２４年　４月２３日　意見書及び第７回手続補正
　平成２４年　６月２６日　審理終結通知到達
　平成２４年　６月２８日　審理再開申し立て
　
（２）審理再開申し立てについての判断
　平成２４年６月２８日付けの審理再開申立書において、請求人は、平成２４年１月２７日付けの拒絶理由通知に対して、当合議体と面接を行い、本件発明の作用効果の説明や、当該拒絶理由に対する補正の内容の確認を希望していたところ、発明者が体調を崩したことにより、面接の機会を失した旨を説明し、現時点では発明者の体調が回復したので審理を再開し、合議体との面接を希望している旨、申し立てている。
　しかし、上記拒絶理由通知に対して、平成２４年４月２３日に意見書及び手続補正書が提出されており、当該意見書においては、面接を希望することや、発明者の事情等の説明が全くなされていないうえに、平成２４年６月２６日に審理終結通知が到達するまでの間においても、そのような希望や説明はされていない。
　上記の申し立てを考慮すると、遅くとも上記意見書を提出するまでには、請求人は面接の必要性を認識していたものと考えざるを得ないところ、上記意見書において、面接を希望することや、発明者の事情等の説明をせずに、さらにその２月後に審理終結通知が到達した後において、突然にその旨の説明を行うことは、著しく時期に遅れているといわざるを得ない。
　したがって、審理を再開する必要性を認めることはできない。
　
　
２．本願発明
　
　本願の請求項１ないし４に係る発明は、平成２４年４月２３日付け手続補正書によって補正された特許請求の範囲の請求項１ないし４に記載された事項により特定されるとおりのものと認めるところ、その請求項１の記載は以下のとおりである。 
　
「　　【請求項１】
　ハウジングと、前記ハウジングの内部に形成され、かつ、前記ハウジングの一端に開口した１次側ポートと前記ハウジングの他端に開口した２次側ポートを有する、流体通路と、前記流体通路の中途部に介装され、かつ、前記流体通路を前記１次側ポートに連通する１次側通路と前記２次側ポートに連通する２次側通路とに画成する、弁体及び弁座と、前記ハウジングの内部に前記２次側通路に沿って形成されたシリンダ部と、前記シリンダ部に摺動可能に嵌合し、かつ、前記弁体に離脱可能に係合する、ピストンと、前記弁体を前記弁座に向かって付勢するバネ手段と、前記弁体を前記弁座から離隔させる方向に、前記ピストンを付勢する圧力調整バネとを有し、前記２次側通路内の流体圧を設定圧に維持するため、前記ピストンは、前記２次側通路内の流体圧の変動に応じて前記シリンダ部を摺動し、前記弁体を前記弁座に関して変位させることにより、前記弁体の弁開度を変更する、圧力制御弁において、前記ハウジングの一端に前記一次側ポートに連通する高圧プラグを設け、前記ハウジングの他端に前記２次側ポートに連通する常圧ソケットを設け、前記ハウジングの内部に、前記ハウジングの軸線を横切る方向に延在する隔壁を形成し、前記隔壁に前記流体通路の一部を構成する貫通孔を形成し、前記貫通孔の前記１次側ポート側の開口部を囲繞するように前記弁座を形成し、前記弁座と前記１次側ポートの間に前記弁体を配置し、前記シリンダ部は、前記２次側通路の上流側に形成された大径シリンダ部と、前記２次側通路の下流側に形成された小径シリンダ部を含み、前記ピストンは、前記大径シリンダ部に摺動可能に嵌合した大径部と、前記小径シリンダ部に摺動可能に嵌合した小径部を有し、前記貫通孔の前記２次側ポート側の開口部を前記ピストンの前記大径部が前記大径シリンダ部に画成する空間に設け、前記常圧ソケットは、前記２次側通路の前記小径シリンダ部よりも下流側に前記２次側通路の開閉弁を有し、前記ハウジングの内部に前記開閉弁と前記ピストンの小径部とによって圧力室を画成し、前記ピストンの前記大径部が前記大径シリンダ部に画成する空間と前記圧力室とを連通させ、かつ、前記２次側通路の一部を構成する、流体通路を、前記ピストンに形成し、前記ハウジングは、全体として中空の円筒体によって構成された中間部材と、前記中間部材に螺合し、かつ、前記中間部材に関して相対的に回転することにより前記ハウジングの軸線に沿って往復動する、延長部材を含み、前記中間部材の内部に前記隔壁と前記大径シリンダ部を形成し、前記中間部材と前記延長部材を相対的に回転させることにより、前記１次側ポートに高圧の圧縮空気が供給されたままの状態で、前記圧力調整バネの弾発力を変更することができるように、前記延長部材と前記ピストンの前記大径部との間に前記圧力調整バネを介装し、前記２次側通路内の流体圧が設定圧よりも高圧になると開放して、前記２次側通路を大気に連通させるリリーフ通路を設け、前記開閉弁は、前記常圧ソケットに常圧プラグを嵌合させると開放して前記圧力室と前記常圧プラグを連通させ、又、前記常圧ソケットから前記常圧プラグを取り外すと前記２次側ポートと前記圧力室の間の前記２次側通路を閉鎖することを特徴とする、圧力制御弁。」（以下、請求項１に係る発明を「本願発明」という。） 
　
　
３．刊行物の記載事項及び刊行物記載の発明
　当審で通知した平成２４年１月２７日付け拒絶理由通知書で引用した、本願の優先日前に頒布された刊行物である米国特許第４１９４５２２号明細書（以下、「刊行物１」という。）及び特開２００４−１９５３５号公報（以下、「刊行物２」という。）には、以下の事項ないし発明が記載されている。なお、記載箇所を示す行数は、空白行を除いて数えた行数を示し、括弧内に、当審による翻訳文を示す。
　
（１）刊行物１記載の事項及び刊行物１記載の発明
　ア．第２欄第１５行ないし１９行
「With reference to the drawing, a pressure regulator has a housing B including a body 12 having opposite end caps 14 and 16 secured thereto, and providing inlet and outlet ports 18 and 20 aligned along a common longitudinal axis 22.」
（図面に示すとおり、圧力調整装置は、ボディ１２を有するハウジングＢを備えており、ボディ１２は、そこに取り付けられている、対向するエンドキャップ１４及び１６を有しており、また、ハウジングＢは、共通長手方向軸２２に沿って整列されている吸気ポート及び排気ポート１８と２０を備えている。）
　
　イ．第２欄第２０ないし２８行
「A cylindrical first bore 26 is formed in housing body 12 adjacent inlet port 18 and is separated from a second housing bore by a partition 28 having a housing flow passage 30 therethrough coincidental with longitudinal axis 22. A second bore in the housing on the opposite side of partition 28 includes a cylindrical large diameter second bore portion 32 in housing body 12 and a cylindrical small diameter second bore portion 34 in end cap 16.」
（円筒形の第１ボア２６が、吸気ポート１８に隣接するハウジングボディ１２中に形成されており、この第１ボアは、長手方向軸２２と一致してそこを貫通しているハウジング流路３０を有する隔壁２８により、第２ハウジングボアから隔離されている。隔壁２８の反対側のハウジング内の第２ボアは、ハウジングボディ１２中の円筒形大直径第２ボア部３２、及びエンドキャップ１６中の円筒形小直径第２ボア部３４を含んでいる。）
　
　ウ．第２欄第２９ないし３６行
「A movable valve member in the form of a disc 38 is slidably positioned in first bore 26 and has a plurality of circumferentially-spaced flats or holes 40 in the periphery thereof for providing flow therepast. Valve member 38 carries an elastomeric member 42 in a suitable recess and is normally biased by a spring 44 to the left in FIG. 2 toward a circumferential seat 46 surrounding housing passage 30 and facing toward inlet bore 18.」
（ディスク形状の可動バルブ部３８が、第１ボア２６にスライド可能なように配置されており、このバルブ部は、その円周上に流路を形成する、円周方向に離隔した複数の低部ないしは孔４０を有している。バルブ部３８は、適切な溝中にエラストマー部材４２を備えており、バルブ部は、通常状態において、図２の左方に、ハウジング通路３０を取り囲んで吸気ボア１８に面している円周シート４６に向けて、ばね４４によりバイアスされている。）
　
　エ．第２欄第３７行ないし４１行
「A stepped piston C is positioned in the second housing bore, and includes a large diameter piston portion 50 received in large diameter second bore portion 32 and a small diameter piston portion 52 received in small diameter second bore portion 34.」
（段付きピストンＣが、第２のハウジングボア中に配置され、大直径第２ボア部３２に受け入れられる大直径ピストン部５０および小直径第２ボア部３４に受け入れられる小直径ピストン部５２を含んでいる。）
　
　オ．第２欄第４９行ないし第５９行
「A circumferential shoulder 60 is formed on piston C between the large and small diameter portions thereof and faces generally toward outlet port 20. A circumferential generally cylindrical recess 62 is formed in an extension on end cap 16 outwardly of small diameter second bore portion 34 and receives a coil spring 66 which biases against piston shoulder 60 for normally urging piston C to the right in FIG. 2 toward inlet port 18 and movable valve member 38. Piston C has a circular flange 68 outwardly of shoulder 60 for aiding and maintaining spring 66 centered.」
（円周肩部６０が、大直径部と小直径部との間のピストンＣ上に形成され、排気ポート２０の方にほぼ面している。円周上のほぼ円筒形の溝６２が、小直径第２ボア部３４の外側のエンドキャップ１６上に延長して形成され、コイルばね６６を受け入れており、このばねは、平常時にピストンＣを、図２の右方へ、吸気ポート１８及び可動バルブ部３８に押しつける方向に、ピストン肩部６０にバイアスをかけている。ピストンＣは、ばねの位置を中央に保つために肩部６０の外側に円形フランジ６８を備えている。）
　
　カ．第２欄第６０行ないし第３欄第４行
「Piston C has a first end 70 facing toward movable valve member 38 and inlet port 18, and a second piston end 72 facing toward outlet port 20. A cylindrical bore 74 extends axially into piston C from second piston end 72. A plurality of circumferentially-spaced piston flow passages 76 extend through piston C from first end 70 thereof to second piston end 72 thereof by intersecting piston bore 74 adjacent the bottom thereof. Piston flow passages 76 are inclined toward longitudinal axis 22 in a direction from first piston end 70 toward second piston end 72.」
（ピストンＣは、可動バルブ部３８及び吸気ポート１８の方に面している第１端部７０と、排気ポート２０の方に面している第２ピストン端部７２とを有している。円筒形ボア７４は、第２ピストン端部７２からピストンＣの内部に軸方向に伸びている。円周方向に離隔して配置されている複数のピストン流路７６が、その第１端部７０から第２ピストン端部７２へピストンＣを経て伸び、その底面に隣接するピストンボア７４と交差している。ピストン流路７６は、第１ピストン端部７０から第２ピストン端部７２の方向に、長手軸２２に向かって傾いている。）
　
　キ．第３欄第５ないし１７行
「An elongated central piston stem 78 extends from first piston end 70 through housing passage 30 in radially inwardly spaced relationship thereto so that flow can take place between stem 78 and housing flow passage 30. A central exhaust passage 80 extends axially through piston stem 78 and intersects a lateral piston exhaust passage 82 which opens outwardly of piston C at a circumferential groove 84 located between seals 54 and 56. A lateral housing exhaust passage 86 in housing body 12 communicates with piston circumferential groove 84. Housing exhaust passage 86 communicates with large diameter second bore portion 32 between seals 54 and 56.」
（細長い中央ピストンステム７８が、第１ピストン端部７０から、ハウジング流路３０の半径方向内側を離隔して通るように伸びており、そのため、ステム７８とハウジング流路３０との間に流れが発生する。中央排気通路８０がピストンステム７８を軸方向に通って伸び、側方ピストン排気通路８２と交差しており、側方ピストン排気通路８２は、シール５４と５６との間に位置する円周溝８４においてピストンＣの外側へ開放している。側方ハウジング排気通路８６は、ハウジングボディ１２の内部で、ピストン円周溝８４に連通している。ハウジング排気通路８６は、シール５４及び５６の間の大直径第２ボア部３２に連通している。）
　
　ク．第３欄第１８ないし４４行
「The first biasing means defined by spring 44 biasing against movable valve member 38 has substantially less biasing force than the second biasing means defined by coil spring 66 which biases against piston C. Therefore, the parts are normally positioned as shown in FIG. 2 with stem 78 holding movable valve member 38 displaced from valve seat 46 toward inlet port 18. Flow then occurs from inlet port 18 past movable valve member 38 through passages 40, through housing passage 30, through piston passages 76 and then through outlet port 20. As pressure builds up at outlet port 20, this pressure generally acts on small diameter piston portion 52 within the seal 56. However, this pressure also backs up through piston bore 74 and piston flow passages 76 to act generally on first piston end 70 within seal 54. When the pressure at outlet port 20 builds up to a predetermined value, the pressure acting to the left on piston C within seal 54 is greater than the combined force of the pressure acting on piston C to the right in FIG. 2 by coil spring 66 and the pressure within seal 56. Therefore, piston C moves to the left in FIG. 2 and stem 78 moves away from inlet port 18. This causes elastomeric material 42 on movable valve member 38 to seal against seat 46 around housing flow passage 30 for blocking air flow from inlet port 18 through housing flow passage 30. The end of stem 78 will remain in a lapped position sealed against elastomeric material 42. 」
（ばね４４により規定され、可動バルブ部３８にバイアスをかける第１バイアス手段は、コイルばね６６により規定され、ピストンＣにバイアスをかける第２バイアス手段よりも、かなり小さいバイアス力を有している。そのため、これらの部分は、通常では、図２に示すように、ステム７８が、可動バルブ部３８をバルブシート４６から吸気ポート１８の方へ移動させた状態を保持するように、位置づけられている。その場合の流れは、吸気ポート１８から可動バルブ部３８を過ぎて、流路４０を通過し、ハウジング流路３０を通過し、ピストン流路７６を通過し、そしてその後に排気ポート２０を通過するように生じる。排気ポート２０での圧力が上昇するにつれて、この圧力は一般的にシール５６までの範囲の小直径ピストン部分５２に働く。しかし、この圧力は、ピストンボア７４及びピストン流路７６を通って伝わり、シール５４までの範囲の第１ピストン端部７０にも働く。排気ポート２０での圧力が所定の値に上昇したとき、シール５４までの範囲でピストンＣに左向きに働く圧力が、コイルばね６６と、シール５６までの範囲での圧力とにより、図２の右向きにピストンＣに働く圧力の組み合わせ力より大きくなる。したがって、ピストンＣは、図２の左方に移動し、また、ステム７８は、吸気ポート１８から離れるように動く。これにより、可動バルブ部３８上のエラストマー材４２が、ハウジング流路３０の周りのシート４６を密閉して、入力ポート１８からハウジング流路３０を通過する空気流を阻止する。ステム７８の端部は、エラストマー材４２に覆われて密閉された位置に維持される。）
　
　ケ．第３欄第４４ないし５６行
「When piston C moves initially to the left, the pressure within large diameter second bore portion 32 acting against first piston end 70 may be slightly greater than the predetermined desired cut off pressure. Therefore, piston C will move far enough to the left for disengaging the end of stem 78 from elastomeric material 42 which remains sealed against valve seal 46. This will exhaust some pressure from second bore portion 32 through piston exhaust passages 80, 82 and to atmosphere through housing exhaust passage 86. Sufficient pressure will be exhausted for moving piston C back until the end of stem 78 is in a lapped position with elastomeric material 42. 」
（ピストンＣが最初に左方に動いたとき、大直径第２ボア部３２の内部で、第１ピストン端部７０に対して働く圧力が、あらかじめ定められた所望の遮断圧力よりやや大きいことがある。そうすると、ピストンＣは、バルブシール４６に対し密閉された状態になっているエラストマー材４２から、ステム７８の端部を引き離すために十分なだけ、左方に移動する。これにより、ある程度の圧力が、第２ボア部３２からピストン排気通路８０、８２を通過し、さらにハウジング排気通路８６を通過して、大気中に排気される。ピストンＣを戻すように動かして、ステム７８の端部が、エラストマー材料４２に覆われる位置になるまで、十分な圧力が排気される。）
　
　コ．第３欄第５７ないし６２行
「As the pressure in outlet port 20 drops, the forces acting to move piston C to the right will again become greater than the force acting tending to move piston C to the left. Therefore, stem 78 will again displace valve member 38 from seat 46 to allow flow from inlet port 18 to outlet port 20.」
（排気ポート２０の圧力が下がるにつれて、ピストンＣを右方に動かすように働く力が、ピストンＣを左方に動かすように働く力より再び強くなる。したがって、ステム７８は、吸気ポート１８から排気ポート２０への流れを許容するように、バルブ部３８をシート４６から戻すように移動させる。）
　
　サ．Ｆｉｇ．１の図示
　Ｆｉｇ．１には、ボディ１２が、全体として６角筒体であることの図示がある。
　
　シ．Ｆｉｇ．２の図示
　Ｆｉｇ．２には、エンドキャップ１６の上流側（Ｆｉｇ．２の右側）の端部が、ボディ１２の下流側（Ｆｉｇ．２の左側）の端部に螺合されていることの図示があり、隔壁２８が、ボディ１２の共通長手方向軸２２を横切る方向に延在していることの図示があり、バルブシート４６が、ハウジング流路３０の吸気ポート１８側の開口部を囲繞するように形成されていることの図示があり、また、ハウジング流路３０の排気ポート２０側の開口部が、大直径ピストン部５０が大直径第２ボア部３２に画成する空間に設けられていることの図示がある。
　
　ス．第１欄下から第２行ないし第２欄第６行
「It is a principal object of the present invention to provide an improved in-line air pressure regulator.
　It is another object of the invention to provide an in-line pressure regulator having a small number of parts.
　It is an additional object of the invention to provide an in-line pressure regulator which is very simple in operation.」
（改良インライン空気圧調整装置を提供することが、この発明の主な目的である。
　少ない部品から構成されるインライン圧力調整装置を提供することが、この発明のもう一つの目的である。
　作動が非常に簡単なインライン圧力調整装置を提供することが、この発明のさらなる目的である。 ）
　
　セ．第３欄下から第６行ないし第４欄第６行
「The supply pressure at inlet port 18 is reduced to a desirable working pressure at outlet port 20 by the improved pressure regulator, and the desired pressure is maintained in the manner described. The working pressure can be adjusted only by changing internal parts such as the biasing force of springs 44, 66. Therefore, the pressure regulator cannot be tampered with by unauthorized persons. However, various working pressures can be provided for the pressure regulator at the factory by varying the pressure which is necessary acting to the left on piston C within seal 54 to shift same to the left.」
（吸気ポート１８の供給圧力は、この改良圧力調整装置により、排気ポート２０における所望作動圧力に低減され、かつ、所望圧力は前述の方法により維持される。作動圧力は、スプリング４４、６６のバイアス力のような内部部品を変更することのみにより調整できる。したがって、この圧力調整装置は、無許可の者により不当に操作されることがない。しかし、この圧力調整装置に対し、ピストンＣを左方にシフトするためにシール５４内においてピストンＣ上で左方に働くべき圧力を工場において変更することにより種々の作動圧力を与えることができる。）
　
　ソ．刊行物１証記載の発明
　上記ク．に摘示する「その場合の流れは、吸気ポート１８から可動バルブ部３８を過ぎて、流路４０を通過し、ハウジング流路３０を通過し、ピストン流路７６を通過し、そしてその後に排気ポート２０を通過するように生じる」という記載からみて、ボディ１２並びにエンドキャップ１４及び１６の内部に、流体通路が存在することは明らかである。
　また、上記ク．に摘示する「可動バルブ部３８上のエラストマー材４２が、ハウジング流路３０の周りのシート４６を密閉して、入力ポート１８からハウジング流路３０を通過する空気流を阻止する」という記載からみて、可動バルブ部３８及びバルブシート４６は、流体通路を、吸気ポート１８に連通する吸気側通路と、排気ポート２０に連通する排気側通路とに、画成しているといえる。
　また、上記ク．及びコ．の記載からみて、圧力調整装置が、排気ポート２０における圧力を所定の圧力に維持していることは明らかであるし、上記ケ．の記載からみて、排気ポート２０における圧力が所定の圧力よりも高圧になると、ピストン排気通路８０、８２及びハウジング排気通路８６を連通して排気することも、明らかである。
　
　以上の記載事項を、本願発明の記載に沿って整理すると、刊行物１には、以下の発明（以下、「刊行物１記載の発明」という。）が記載されていると認める。
　
「ハウジングＢと、前記ハウジングＢの内部に形成され、かつ、前記ハウジングＢの一端に開口した吸気ポート１８と前記ハウジングＢの他端に開口した排気ポート２０を有する、流体通路と、前記流体通路の中途部に介装され、かつ、前記流体通路を前記吸気ポート１８に連通する吸気側通路と前記排気ポート２０に連通する排気側通路とに画成する、可動バルブ部３８及びバルブシート４６と、前記ハウジングＢの内部に前記排気側通路に沿って形成された第２のハウジングボアと、前記第２のハウジングボアに摺動可能に嵌合し、かつ、前記可動バルブ部３８のエラストマー材４２に離脱可能に係合する、ピストンＣと、前記可動バルブ部３８を前記バルブシート４６に向かってバイアスするばね４４と、前記可動バルブ部３８を前記バルブシート４６から離隔させる方向に、前記ピストンＣをバイアスするコイルばね６６とを有し、前記排気ポート２０での空気圧を所定の圧力に維持するため、前記ピストンＣは、前記排気ポート２０での空気圧の変動に応じて前記第２のハウジングボアを摺動し、前記可動バルブ部３８を前記バルブシート４６に関して変位させることにより、前記可動バルブ部３８の弁開度を変更する、圧力調整装置において、前記ハウジングＢの一端に前記吸気ポート１８に連通するエンドキャップ１４を設け、前記ハウジングＢの他端に前記排気ポート２０に連通するエンドキャップ１６を設け、前記ハウジングＢの内部に、前記ハウジングＢの共通長手方向軸２２を横切る方向に延在する隔壁２８を形成し、前記隔壁２８に前記流体通路の一部を構成するハウジング流路３０を形成し、前記ハウジング流路３０の前記吸気側通路側の開口部を囲繞するように前記バルブシート４６を形成し、前記バルブシート４６と前記吸気ポート１８の間に前記可動バルブ部３８を配置し、前記第２のハウジングボアは、前記排気側通路の上流側に形成された大直径第２ボア部３２と、前記排気側通路の下流側に形成された小直径第２ボア部３４を含み、前記ピストンＣは、前記大直径第２ボア部３２に摺動可能に嵌合した大直径ピストン部５０と、前記小直径第２ボア部３４に摺動可能に嵌合した小直径ピストン部５２を有し、前記ハウジング流路３０の前記排気ポート２０側の開口部を前記大直径ピストン部５０が前記大直径第２ボア部３２に画成する空間に設け、前記排気側通路の一部を構成する、ピストン流路７６を、前記ピストンＣに形成し、前記ハウジングＢは、全体として中空の６角筒体によって構成されたボディ１２と、前記ボディ１２に螺合する前記エンドキャップ１６を含み、前記ボディ１２の内部に前記隔壁２８と前記大直径第２ボア部３２を形成し、前記エンドキャップ１６と前記大直径ピストン部５０との間に前記コイルばね６６を介装し、前記排気ポート２０での空気圧が所定の圧力よりも高圧になると開放して、前記排気側通路を大気に連通させるピストン排気通路８０、８２及びハウジング排気通路８６を設けた圧力調整装置。」
　
　
（２）刊行物２記載の事項及び刊行物２記載の発明
　ア．段落【００１４】
「【００１４】
１１は高圧専用と常圧専用の両プラグを接続することが可能であり且つ常圧プラグが接続された時には圧力を常圧域に減圧する減圧弁機構を内蔵した継手変換器であり、該継手変換器１１の一端側には前記エアホース８の端部に取り付けられている高圧専用のソケット１０に接続することができる高圧プラグ１２が取り付けられており、エアホース８を介して空気圧縮機１から高圧域の圧縮空気が供給される。該継手変換器１１の他端側には常圧専用と高圧専用のそれぞれ形状の異なったプラグが何れも接続できるように形成された雌型のソケット部１３が形成されている。」
　
　イ．段落【００１７】
「【００１７】
継手変換器１１内には、何れのプラグも接続されていない状態でエア供給口１８側からソケット部１３側への圧縮空気の流出を防止するための第一遮断弁１９と第二遮断弁２０が形成されており、第一遮断弁１９は常圧プラグ１７をソケット部１３へ装着することにより作動される筒状体２１の外周面に形成された開口部３８及び該外周面に装着されたＯリング２２とハウジングに形成されたバルブシート２３により構成され、常圧プラグ１７がソケット部１３に接続された状態では筒状体２１が作動されて第一遮断弁１９が開放して圧縮空気をエア供給口１８側からソケット部１３側へ導通させる。第二遮断弁２０は高圧プラグ１５の装着によって作動されるロッド２４の外周に装着されたＯリング２５と前記筒状体２１により構成されており、高圧プラグ１５が装着されることによってロッド２４が作動されて圧縮空気を高圧プラグ１５側へ導通させる。」
　
　ウ．段落【００２０】
「【００２０】
図３に示すように、常圧工具１６に接続された常圧プラグ１７がソケット部１３に接続されると、常圧プラグ１７の先端によって筒状体２１が押圧されて第一遮断弁１９が開かれて、エア供給口１８とソケット部１３側が連通される。空気圧縮機１から供給されている高圧の圧縮空気がバネ３２によって付勢されているピストン２９の受圧面３１に作用して、エア圧とバネ力のバランスによってピストン２９を作動させこれにより開閉弁２８を開閉作動させて、常圧工具側にはピストン２９と開閉弁２８による減圧弁機構２６の機能により受圧面３１とバネ３２により設定された常圧工具の作動領域の圧力に減圧された圧縮空気が供給される。従って常圧工具には上限圧力を越えた高い圧力の圧縮空気が供給されることがない。」
　
　エ．段落【００２２】
「【００２２】
継手変換器１１のソケット部１３に常圧プラグ１７が接続されているとき、常圧プラグ１７側へはピストン２９の受圧面３１とバネ３２による付勢力により調整された常圧領域の圧縮空気が供給されるが、この調整圧力は前記バネ３２の付勢力を可変調整することによって可変することが可能である。バネ３２の押圧力は継手変換器１１のハウジングのネジ係合されている前部１１ａと後部１１ｂ間を相対的に回動操作して行うことができる。これにより、常圧工具１６での使用圧力を任意に調整することができ、その都度空気圧縮機１のところまで行って圧力調整器４を操作する必要が無くなる。」
　
　オ．図１の図示
　図１には、継手変換器１１が、全体として円筒体によって構成されていることの図示がある。
　
　カ．図２の図示
　図２には、第一遮断弁１９が、ピストン２９よりも下流側（図２の右側）に設けられていることの図示がある。
　
　キ．図３の図示
　図３には、第一遮断弁１９の上流側（図３の左側）に空間が設けられており、常圧プラグ１７により筒状体２１が上流側に押圧されて、当該空間に侵入していることの図示がある。
　
　ク．刊行物２記載の発明
　上記エ．の「バネ３２の押圧力は継手変換器１１のハウジングのネジ係合されている前部１１ａと後部１１ｂ間を相対的に回動操作して行うことができる」という記載からみて、継手変換器１１は、ハウジングを有しており、当該ハウジングが、ネジ係合されている前部１１ａと後部１１ｂとで構成され、相対的に回転できることは、明らかであるし、そのように回転させれば、ネジ係合によりハウジングの軸線に沿って往復運動することは技術常識である。
　また、上記イ．の「何れのプラグも接続されていない状態でエア供給口１８側からソケット部１３側への圧縮空気の流出を防止するための第一遮断弁１９」という記載からみて、第一遮断弁１９は、ソケット部１３からプラグが取り外された場合に、空気の流出を防止するように動作することは、明らかである。
　
　以上の記載事項を、本願発明の記載に沿って整理すると、刊行物２には、以下の発明（以下、「刊行物２記載の発明」という。）が記載されていると認める。
　
「常圧プラグが接続された時には圧力を常圧域に減圧する減圧弁機構を内蔵した継手変換器であり、ハウジングの一端に高圧プラグ１２を設け、ハウジングの他端に高圧専用と常圧専用の両プラグを接続することが可能なソケット部１３を設け、前記減圧弁機構のピストンよりも下流側に第一遮断弁１９が設けられており、前記第一遮断弁１９の上流側に空間が設けられており、前記ハウジングは、全体として中空の円筒体によって構成された前部１１ａと、前記前部１１ａにネジ係合し、かつ、前記前部１１ａに関して相対的に回動操作することによりハウジングの軸線に沿って往復動する、後部１１ｂを含み、前記前部１１ａと前記後部１１ｂを相対的に回動操作させることにより、前記減圧弁機構のバネ３２の押圧力を調整することができるようにバネ３２が存在し、前記第一遮断弁は、前記ソケット部１３に常圧プラグ１７を接続すると開放し、ソケット部１３から前記常圧プラグ１７を取り外すと閉鎖する継手変換器。」
　
　
４．対比
　本願発明と、刊行物１記載の発明とを対比すると、刊行物１記載の発明の「ハウジングＢ」が本願発明の「ハウジング」に相当し、「吸気ポート１８」が「１次側ポート」に相当し、「排気ポート２０」が「２次側ポート」に相当し、「吸気側通路」が「１次側通路」に相当し、「排気側通路」が「２次側通路」に相当し、「可動バルブ部３８及びバルブシート４６」が「弁体及び弁座」に相当し、「第２のハウジングボア」が「シリンダ部」に相当し、「可動バルブ部３８のエラストマー材４２に離脱可能に係合する、ピストンＣ」が「弁体に離脱可能に係合する、ピストン」に相当し、「可動バルブ部３８をバルブシート４６に向かってバイアスするばね４４」が「弁体を弁座に向かって付勢するバネ手段」に相当し、「可動バルブ部３８をバルブシート４６から離隔させる方向に、ピストンＣをバイアスするコイルばね６６」が「弁体を弁座から離隔させる方向に、ピストンを付勢する圧力調整バネ」に相当することは、明らかである。
　また、刊行物１記載の発明における「排気ポート２０での空気圧」は、「排気側通路」、すなわち本願発明の「２次側通路」での空気圧と等しいといえるから、刊行物１記載の発明において、「排気ポート２０での空気圧を所定の圧力に維持する」ことは、本願発明において、「２次側通路内の流体圧を設定圧に維持する」ことに相当し、「ピストンＣは、排気ポート２０での空気圧の変動に応じて第２のハウジングボアを摺動し、可動バルブ部３８をバルブシート４６に関して変位させることにより、可動バルブ部３８の弁開度を変更する」ことは、「ピストンは、２次側通路内の流体圧の変動に応じてシリンダ部を摺動し、弁体を弁座に関して変位させることにより、弁体の弁開度を変更する」ことに相当し、「圧力調整装置」が「圧力制御弁」に相当する。
　そして、刊行物１記載の発明の「ハウジングＢの共通長手方向軸２２」が、本願発明の「ハウジングの軸線」に相当し、「隔壁２８」が「隔壁」に相当し、「ハウジング流路３０」が「貫通孔」に相当し、「大直径第２ボア部３２」が「大径シリンダ部」に相当し、「小直径第２ボア部３４」が「小径シリンダ部」に相当し、「大直径ピストン部５０」がピストンの「大径部」に相当し、「小直径ピストン部５２」がピストンの「小径部」に相当し、「排気側通路の一部を構成する、ピストン流路７６を、ピストンＣに形成」することが「２次側通路の一部を構成する、流体通路を、ピストンに形成」することに相当することは、明らかである。
　また、刊行物１記載の発明の「全体として中空の６角筒体によって構成されたボディ１２」は、「全体として中空の筒体によって構成された上流側ハウジング部材」という点で、本願発明の「中空の円筒体によって構成された中間部材」と共通し、刊行物１記載の発明の「ボディ１２に螺合するエンドキャップ１６」は、「上流側ハウジング部材に螺合する下流側ハウジング部材」という点で、本願発明の「中間部材に螺合し、かつ、前記中間部材に関して相対的に回転することによりハウジングの軸線に沿って往復動する、延長部材」と共通する。
　さらに、刊行物１記載の発明において、「エンドキャップ１６と大直径ピストン部５０との間にコイルばね６６を介装」することは、「ピストンの大径部よりも下流側に圧力調整バネが存在」するという点で、本願発明において、「延長部材とピストンの大径部との間に圧力調整バネを介装」することと共通する。
　そして、刊行物１記載の発明において、「排気ポート２０での空気圧が所定の圧力よりも高圧になると開放して、排気側通路を大気に連通させるピストン排気通路８０、８２及びハウジング排気通路８６を設け」たことは、本願発明において「２次側通路内の流体圧が設定圧よりも高圧になると開放して、２次側通路を大気に連通させるリリーフ通路を設け」たことに相当する。
　
　以上から、本願請求項１に係る発明と刊行物記載の発明との一致点及び相違点は、以下のとおりである。
　
　＜一致点＞
「ハウジングと、前記ハウジングの内部に形成され、かつ、前記ハウジングの一端に開口した１次側ポートと前記ハウジングの他端に開口した２次側ポートを有する、流体通路と、前記流体通路の中途部に介装され、かつ、前記流体通路を前記１次側ポートに連通する１次側通路と前記２次側ポートに連通する２次側通路とに画成する、弁体及び弁座と、前記ハウジングの内部に前記２次側通路に沿って形成されたシリンダ部と、前記シリンダ部に摺動可能に嵌合し、かつ、前記弁体に離脱可能に係合する、ピストンと、前記弁体を前記弁座に向かって付勢するバネ手段と、前記弁体を前記弁座から離隔させる方向に、前記ピストンを付勢する圧力調整バネとを有し、前記２次側通路内の流体圧を設定圧に維持するため、前記ピストンは、前記２次側通路内の流体圧の変動に応じて前記シリンダ部を摺動し、前記弁体を前記弁座に関して変位させることにより、前記弁体の弁開度を変更する、圧力制御弁において、前記ハウジングの内部に、前記ハウジングの軸線を横切る方向に延在する隔壁を形成し、前記隔壁に前記流体通路の一部を構成する貫通孔を形成し、前記貫通孔の前記１次側ポート側の開口部を囲繞するように前記弁座を形成し、前記弁座と前記１次側ポートの間に前記弁体を配置し、前記シリンダ部は、前記２次側通路の上流側に形成された大径シリンダ部と、前記２次側通路の下流側に形成された小径シリンダ部を含み、前記ピストンは、前記大径シリンダ部に摺動可能に嵌合した大径部と、前記小径シリンダ部に摺動可能に嵌合した小径部を有し、前記貫通孔の前記２次側ポート側の開口部を前記ピストンの前記大径部が前記大径シリンダ部に画成する空間に設け、前記２次側通路の一部を構成する、流体通路を、前記ピストンに形成し、前記ハウジングは、全体として中空の筒体によって構成された上流側ハウジング部材と、前記上流側ハウジング部材に螺合する下流側ハウジング部材を含み、上流側ハウジング部材の内部に前記隔壁と前記大径シリンダ部を形成し、ピストンの大径部よりも下流側に圧力調整バネが存在し、前記２次側通路内の流体圧が設定圧よりも高圧になると開放して、前記２次側通路を大気に連通させるリリーフ通路を設けた圧力制御弁。」である点。
　
＜相違点１＞
　本願発明は、「ハウジングの一端に一次側ポートに連通する高圧プラグを設け、前記ハウジングの他端に２次側ポートに連通する常圧ソケットを設け」ており、「常圧ソケットは、２次側通路の小径シリンダ部よりも下流側に２次側通路の開閉弁を有し、ハウジングの内部に前記開閉弁とピストンの小径部とによって圧力室を画成し、ピストンの大径部が大径シリンダ部に画成する空間と前記圧力室とを連通させて」おり、「開閉弁は、常圧ソケットに常圧プラグを嵌合させると開放して圧力室と常圧プラグを連通させ、又、常圧ソケットから常圧プラグを取り外すと２次側ポートと圧力室の間の２次側通路を閉鎖する」のに対して、刊行物１記載の発明は、「ボディ１２」に「高圧プラグ」や「常圧ソケット」を設けておらず、また、「開閉弁」を有していない点。
　
＜相違点２＞
　本願発明は、「全体として中空の円筒体によって構成された中間部材」を有しているのに対して、刊行物１記載の発明は、「全体として中空の６角筒体によって構成されたボディ１２」を有している点。
　
＜相違点３＞
　本願発明のハウジングは、「中間部材に螺合し、かつ、前記中間部材に関して相対的に回転することにより前記ハウジングの軸線に沿って往復動する、延長部材を含み」、「前記中間部材と前記延長部材を相対的に回転させることにより、１次側ポートに高圧の圧縮空気が供給されたままの状態で、圧力調整バネの弾発力を変更することができるように、延長部材とピストンの大径部との間に圧力調整バネを介装し」ているのに対して、刊行物１記載の発明は、「ボディ１２に螺合するエンドキャップ１６」を有しているものの、「エンドキャップ１６」を回転させることにより、「エンドキャップ１６」を往復動させたり、「コイルばね６６」の弾発力を変更させるものではない点。
　
　
５．相違点についての検討及び判断
（１）相違点１について
　相違点１について検討するため、上記３．（２）ク．に示す刊行物２記載の発明を参照して、本願発明と対比すると、その「継手変換器」は、「圧力を常圧域に減圧する減圧弁機構を内蔵し」ているから、本願発明の「圧力制御弁」に相当する。
　また、刊行物２記載の発明の「ハウジング」が本願発明の「ハウジング」に相当し、「高圧プラグ１２」が「高圧プラグ」に相当することは、明らかである。
　また、刊行物２記載の発明の「高圧専用と常圧専用の両プラグを接続することが可能なソケット部１３」は、少なくとも、常圧専用のプラグを接続することができるから、本願発明の「常圧ソケット」に相当する。
　さらに、刊行物２記載の発明において、「減圧弁機構のピストンよりも下流側に第一遮断弁１９が設けられて」いることは、ピストンに対応するシリンダよりも下流側に第一遮断弁１９が設けられていることになるから、「シリンダよりも下流側に開閉弁が設けられている」という点で、本願発明において、「常圧ソケットは、２次側通路の小径シリンダ部よりも下流側に２次側通路の開閉弁を有し」ていることと共通する。
　また、刊行物２記載の発明において、「第一遮断弁１９の上流側に空間が設けられて」いることは、「開閉弁よりも上流側に空間が設けられている」という点で、本願発明において、「ハウジングの内部に前記開閉弁とピストンの小径部とによって圧力室を画成し」ていることと共通する。
　また、刊行物２記載の発明において、「ハウジングは、全体として中空の円筒体によって構成された前部１１ａと、前記前部１１ａにネジ係合し、かつ、前記前部１１ａに関して相対的に回動操作することによりハウジングの軸線に沿って往復動する、後部１１ｂを含」むことは、本願発明において、「ハウジングは、全体として中空の円筒体によって構成された中間部材と、前記中間部材に螺合し、かつ、前記中間部材に関して相対的に回転することにより前記ハウジングの軸線に沿って往復動する、延長部材を含」むことに相当する。
　また、刊行物２記載の発明において、「減圧弁機構のバネ３２の押圧力を調整すること」は、本願発明において、「圧力調整バネの弾発力を変更すること」に相当するから、刊行物２記載の発明において、「前部１１ａと後部１１ｂを相対的に回動操作させることにより、減圧弁機構のバネ３２の押圧力を調整することができるようにバネ３２が存在し」ていることは、「中間部材と延長部材を相対的に回転させることにより、圧力調整バネの弾発力を変更することができるように、前記圧力調整バネが存在している」という点で、本願発明において、「前記中間部材と前記延長部材を相対的に回転させることにより、前記１次側ポートに高圧の圧縮空気が供給されたままの状態で、前記圧力調整バネの弾発力を変更することができるように、前記延長部材と前記ピストンの前記大径部との間に前記圧力調整バネを介装」することと共通する。
　そして、刊行物２記載の発明において、「第一遮断弁は、ソケット部１３に常圧プラグ１７を接続すると開放し、ソケット部１３から前記常圧プラグ１７を取り外すと閉鎖する」ことは、「開閉弁は、常圧ソケットに常圧プラグを嵌合させると開放し、前記常圧ソケットから前記常圧プラグを取り外すと閉鎖する」という点で、本願発明において、「開閉弁は、常圧ソケットに常圧プラグを嵌合させると開放して圧力室と前記常圧プラグを連通させ、又、前記常圧ソケットから前記常圧プラグを取り外すと２次側ポートと圧力室の間の２次側通路を閉鎖すること」と共通する。
　以上の対比を整理して、本願発明の用語を用いて刊行物２記載の発明を表現すると、
　
「ハウジングの一端に高圧プラグを設け、ハウジングの他端に常圧ソケットを設け、シリンダよりも下流側に開閉弁が設けられており、前記開閉弁よりも上流側に空間が設けられており、前記ハウジングは、全体として中空の円筒体によって構成された中間部材と、前記前中間部材に螺合し、かつ、前記中間部材に関して相対的に回転することにより前記ハウジングの軸線に沿って往復動する、延長部材を含み、前記中間部材と前記延長部材を相対的に回転させることにより、圧力調整バネの弾発力を変更することができるように、前記圧力調整バネが存在しており、前記開閉弁は、前記常圧ソケットに常圧プラグを嵌合させると開放し、前記常圧ソケットから前記常圧プラグを取り外すと閉鎖する圧力制御弁。」となる。
　
　そうすると、圧力制御弁において、「ハウジングの一端に高圧プラグを設け、ハウジングの他端に常圧ソケットを設け」ることや、「シリンダよりも下流側に開閉弁が設け」られること、「開閉弁よりも上流側に空間が設けられて」いること、「開閉弁は、常圧ソケットに常圧プラグを嵌合させると開放し、常圧ソケットから前記常圧プラグを取り外すと閉鎖する」ことは、いずれも、刊行物２記載の発明に開示された、公知の技術的事項といえる。
　そして、刊行物１記載の発明と、刊行物２記載の発明とは、いずれも、高圧空気を所定の圧力まで減圧し、その圧力が維持されるように弁を制御する制御弁として共通するし、その全体的形状についても、上流の一次側ポートと、下流の二次側ポートとが、同じ軸線上に配置されている、いわゆるインライン型の形状として、共通する。さらに、流体の管路に制御弁を設ける際には、管路と制御弁とを接続する必要があるところ、そのような管路の接続が、開閉弁を有するプラグやソケットにより簡単に行えることは、例えば、ガスストーブのホースの接続に例示するように、日常的にもよく知られている周知の技術的事項であるから、刊行物１記載の発明において、管路の接続が簡単に行えるように、、刊行物２記載の発明を適用することは、当業者にとって、容易に想到できた事項である。
　そして、刊行物１記載の発明に、刊行物２記載の発明を適用すれば、「エンドキャップ１４」に代えて「高圧プラグ」を設け、「エンドキャップ１６」に代えて「常圧ソケット」を設けることになるし、「小径シリンダ部」に相当する「小直径第２ボア部３４」よりも下流に、「開閉弁」を設けることになる。
　そして、当該開閉弁は、上記３．（２）キ．に示すように、常圧プラグを嵌合させると、弁が上流側に移動して流路を開放するのであるから、上流側に移動した弁を待避させる空間が必要であることは、明らかであって、当該空間は、開閉弁よりも上流側、すなわち、「ピストンの小径部」に相当する「小直径ピストン部５２」との間に設けざるを得ないし、当該空間が、２次側通路の一部となることは当然であるから、当該空間を「圧力室」と呼称することは、当業者にとって、格別に困難な事項とはいえない。
　以上から、刊行物１記載の発明において、「ハウジングの一端に一次側ポートに連通する高圧プラグを設け、前記ハウジングの他端に２次側ポートに連通する常圧ソケットを設け」、「常圧ソケットは、２次側通路の小径シリンダ部よりも下流側に２次側通路の開閉弁を有し、ハウジングの内部に前記開閉弁とピストンの小径部とによって圧力室を画成し、ピストンの大径部が大径シリンダ部に画成する空間と前記圧力室とを連通させて」おり、「開閉弁は、常圧ソケットに常圧プラグを嵌合させると開放して圧力室と常圧プラグを連通させ、又、常圧ソケットから常圧プラグを取り外すと２次側ポートと圧力室の間の２次側通路を閉鎖する」ように構成することは、刊行物２記載の発明及び周知の技術的事項に基づいて、当業者が容易に想到できた事項である。
　
（２）相違点２について
　相違点２について検討するため、上記（１）で説示した刊行物２記載の発明を参照すると、圧力制御弁のハウジングの中間部材を、「全体として中空の円筒体」形状とすることが示されている。
　そして、刊行物１記載の発明と、刊行物２記載の発明とは、いずれも、高圧空気を所定の圧力まで減圧し、その圧力が維持されるように弁を制御する制御弁として共通するし、その全体的形状についても、いわゆるインライン型の形状として、共通するから、刊行物１記載の発明の「ボディ１２」の形状を、「全体として中空の円筒体」とすることは、当業者にとって容易に想到できた事項である。
　
（３）相違点３について
　相違点３について検討するため、上記（１）で説示した刊行物２記載の発明を参照すると、「中間部材に螺合し、かつ、前記中間部材に関して相対的に回転することによりハウジングの軸線に沿って往復動する、延長部材を含み、前記中間部材と前記延長部材を相対的に回転させることにより、圧力調整バネの弾発力を変更することができるように、前記圧力調整バネが存在して」いることが示されている。
　そして、刊行物１記載の発明と、刊行物２記載の発明とは、いずれも、高圧空気を所定の圧力まで減圧し、その圧力が維持されるように弁を制御する制御弁として共通するし、その全体的形状についても、いわゆるインライン型の形状として、共通するから、刊行物１記載の発明に、刊行物２記載の発明に示された「中間部材に螺合し、かつ、前記中間部材に関して相対的に回転することによりハウジングの軸線に沿って往復動する、延長部材を含み、前記中間部材と前記延長部材を相対的に回転させることにより、圧力調整バネの弾発力を変更することができるように、前記圧力調整バネが存在して」いることを適用することは、当業者にとって、格別に困難な事項ではない。
　そして、刊行物１記載の発明に、刊行物２記載の発明を適用すれば、刊行物１記載の発明の「ボディ１２」に「螺合するように延長部材」を設けることになるし、刊行物１記載の発明の「コイルばね６６」に代えて、当該延長部材と、ピストンの大径部に相当する「大直径ピストン部５０」との間に、「圧力調整バネ」を介装することになる。
　さらに、上記相違点３に係る構成である「１次側ポートに高圧の圧縮空気が供給されたままの状態で、圧力調整バネの弾発力を変更する」ことは、圧力制御弁の使用方法に依存するのであって、刊行物２には、そのような使用方法を禁じる記載がない。また、仮に、圧力調整バネの弾発力を変更する際に、１次側ポートに高圧の圧縮空気が供給されないようにするならば、圧縮空気の供給源である空気圧縮機を停止させる必要があるところ、上記３．（２）エ．に「常圧工具１６での使用圧力を任意に調整することができ、その都度空気圧縮機１のところまで行って圧力調整器４を操作する必要が無くなる」とあるように、刊行物２には、空気圧縮機のところまで行かなくても、圧力調整ができること、すなわち、空気圧縮機のところまで行って、空気圧縮機を停止させることとは反する記載があるから、刊行物２記載の発明では、「１次側ポートに高圧の圧縮空気が供給されたままの状態で、圧力調整バネの弾発力を変更する」ことを排除していないといえる。そうすると、刊行物１記載の発明に、刊行物２記載の発明を適用した圧力制御弁において、「１次側ポートに高圧の圧縮空気が供給されたままの状態で、圧力調整バネの弾発力を変更する」ことは、当業者が自由に選択できる程度の事項にすぎない。
　以上から、相違点３に係る構成は、刊行物１記載の発明に、刊行物２記載の発明を適用することにより、当業者が容易に想到できた事項である。
　
　なお付言すると、上記３．（１）セ．に示すように、刊行物１には、「作動圧力は、スプリング４４、６６のバイアス力のような内部部品を変更することのみにより調整できる。したがって、この圧力調整装置は、無許可の者により不当に操作されることがない。」との記載があるものの、当該記載は、刊行物１に記載されている実施例に関する付加的な効果の記載にすぎず、上記３．（１）ス．に示す、刊行物１における発明の目的に関する記載を参照すると、「無許可の者により不当に操作されること」を解決課題としているわけではないことを理解できるから、上記３．（１）セ．に示す記載があるとしても、刊行物１記載の発明に、刊行物２記載の発明を適用することを妨げることにはならない。
　
　
６．本願発明の効果について
　本願発明によってもたらされる効果も、刊行物１記載の発明、及び刊行物２記載の発明、並びに周知の技術的事項から、当業者であれば予測できる程度のものであって、格別のものではない。 
　
　
７．むすび
　したがって、本願発明は、上記刊行物１記載の発明、及び刊行物２記載の発明、並びに周知の技術的事項に基いて当業者が容易に発明をすることができたものであり、特許法第２９条第２項の規定により特許を受けることができないものであるから、その余の請求項に係る発明について検討するまでもなく、本願は拒絶すべきものである。
　よって、結論のとおり審決する。